(57)【要約】【課題】  簡単な構造で自動的に一定の間隔で露光手段に設けられた窓部を清掃する。【解決手段】  光走査装置５０の内部にトナーなどの侵入を防止するため、レーザービームの出射口５１には透光板５２が設けられている。透光板５２はトナーなどが付着し汚れてくる。しかし、給紙カセット３０に記録紙Ｐを補給するため給紙カセット３０を、Ｙ１方向及びＹ２方向にスライドし、抜き差しすると、抜き差し動作に連動しフェルト６２が透光板５２の表面を移動して擦り、清掃する。つまり、給紙カセット３０に記録紙Ｐを補給するたびに、フェルト６２が光走査装置５０の透光板５２の汚れを清掃する。よって、透光板５２の汚れによる露光不良が防止される。【選択図】        図２
2005265965.tif 000002
【特許請求の範囲】
【請求項１】
像担持体を露光し潜像を形成する露光手段を備え、記録媒体に画像を形成する画像形成装置において、
装置本体に装着され、前記記録媒体を収容し、抜き差し可能な収容カセットと、
前記露光手段に設けられた出射口を塞ぐ透光板と、
前記透光板の表面を移動し、該透光板を清掃する清掃部材と、
前記収容カセットの抜き差し動作に連動して前記清掃部材を前記透光板に沿って移動させる連動機構と、
有することを特徴とする画像形成装置。
【請求項２】
前記収容カセットの抜き差し方向と前記清掃部材の移動方向とを同一方向とし、
前記連動機構は、前記収容カセットと前記清掃部とを連結する連結部材であることを特徴とする請求項１に記載の画像形成装置。
【請求項３】
前記連動機構は、
前記出射口の両端側に設けられた回転自在の滑車部と、
前記滑車部に巻きかけられ、前記清掃部材が取りつけられた線材と、
前記滑車部と同軸的に設けられた歯車と、
前記収容カセットに設けられ、前記歯車と噛み合い、前記収容カセットの抜き差し動作を前記滑車部の回転運動に変換するラックと、
で構成することを特徴とする請求項１に記載の画像形成装置。
【発明の詳細な説明】
【技術分野】
【０００１】
本発明は、画像形成装置に関する。
【背景技術】
【０００２】
公知の電子写真プロセスを適用した画像形成装置は、次のようなプロセスで記録媒体に画像を形成する。
【０００３】
電子写真感光体（以降、「感光体」と記す）を回転させながら、帯電器で感光体を所定の電位に一様に帯電する。帯電した感光体に光走査装置で露光し潜像を形成する。この潜像を現像器で現像し、感光体上にトナー像を形成する。このトナー像は転写器で記録媒体に転写され、そして、定着器で記録媒体にトナー像を定着する。また、帯電器で帯電を行う前に、クリーニング機構で転写後の残留トナーを除去し、イレーサーランプで感光体に除電光を露光し電位を一様に均一化する。
【０００４】
さて、画像形成装置内には、トナー、紙紛、ほこり等が浮遊している。このため、光走査装置の出射口を、光を透過するガラスや樹脂などからなる透光板で塞ぎ、トナー、紙紛、ほこり等の光走査装置内部への侵入を防止している。
【０００５】
しかし、この透光板は、トナー、紙紛、ほこり等が付着し汚れてくる。汚れた部分は、光が透過しないので感光体への露光不良が生じ、感光体に正常な潜像が形成されなくなる。
【０００６】
よって、オペレーターやサービスマンが、柔らかい布などで手作業で透光板を拭いて清掃していた。しかし、このような清掃作業は手間がかかり、また、このため作業を怠ったり、忘れたりすることが多かった。
【０００７】
そこで、光走査装置の出射口の透光板へのトナー、紙紛、ほこり等の付着を防止したり、自動的に透光板を清掃する方法が提案されている。
【０００８】
例えば、透光板の表面に導電性を有する透明膜を形成し、透光板の表面をトナーと同極性となるように電圧を印加して静電気的にトナーを取り除き、更に、透光板の近傍に電極を設け、この電極と透光板の表面との間に電界を形成し、浮遊トナーが光学経路に入りにくくする方法が提案されている。
【０００９】
しかし、このような方法では、透光板へのトナーの付着を軽減することは可能であるが、完全に除去することはできない。また、多量の浮遊トナーが発生した場合には効果は十分でない。更に、電荷を帯びていないトナーや逆極性のトナー、あるいは、その他のゴミに関しては効果は期待できない。（例えば、特許文献１参照）。
【００１０】
また、感光体、現像器、帯電器、クリーニング機構が一体化されたプロセスカートリッジの交換のために設けられた開閉カバーの開閉動作に連動して、光走査装置の出射口の透光板の表面を清掃する清掃部材を揺動させ、透光板の表面を清掃する方法が提案されている。（例えば、特許文献２参照）。
【特許文献１】特開平０９−４３９４０号公報
【特許文献２】特開平０８−２６２９４７号公報
【発明の開示】
【発明が解決しようとする課題】
【００１１】
特開平０８−２６２９４７に記載の方法では、清掃は開閉カバーの開閉動作時、すなわちプロセスカートリッジの交換時に行われる。このため、清掃間隔は、プロセスカートリッジの交換間隔となる。
【００１２】
プロセスカートリッジの交換間隔は、収容されているトナー量や印字内容によるが、通常は数千枚以上である。よって、清掃間隔も数千枚印字以上毎に行われる。
【００１３】
このように、清掃間隔が数千枚印字以上と長いと、その間に透光板の表面にトナー等が付着して汚れが生じる。更に、透光板が透明な樹脂からなる場合、透光板にトナーが長期間付着したままになると、トナーが融着し清掃しても汚れが落ちにくくなる。
【００１４】
また、透光板が感光体の下方に配置される構成の場合は、透光板にトナー等が降り積もるため、より短期間で透光板の表面に汚れが生じる。
【００１５】
このため、特開平０８−２６２９４７に記載の方法では、露光不良を生じることがあった。
【００１６】
本発明は、上記問題を解決すべく成されたもので、簡単な構造で自動的に露光手段に設けられた出射口を塞ぐ透光板を清掃することを目的とする。
【課題を解決するための手段】
【００１７】
請求項１に記載の画像形成装置は、像担持体を露光し潜像を形成する露光手段を備え、記録媒体に画像を形成する画像形成装置において、装置本体に装着され、前記記録媒体を収容し、抜き差し可能な収容カセットと、前記露光手段に設けられた出射口を塞ぐ透光板と、前記透光板の表面を移動し、該透光板を清掃する清掃部材と、
前記収容カセットの抜き差し動作に連動して前記清掃部材を前記透光板に沿って移動させる連動機構と、有することを特徴としている。
【００１８】
請求項１に記載の画像形成装置は、像担持体を露光し潜像を形成する露光手段を備え、記録記録媒体に画像を形成する。
【００１９】
装置本体には、記録媒体を収容し、抜き差し可能な収容カセットが装着されている。そして、収容カセットの記録媒体が無くなると、収容カセットを装置本体外に引き出し、記録媒体を補給した後、再度装着する。
【００２０】
露光手段の出射口は透光板で塞がれ、ゴミなどの侵入が防止されている。また、透光板には表面を移動可能な清掃部材が設けられている。この清掃部材は、連動機構によって収容カセットの抜き差し動作に連動して透光板に沿って移動し、透光板を清掃する
さて、透光板の表面は、徐々にゴミなどが付着し汚れてくる。汚れた部分は、光を透過しないので、像担持体への露光不良が発生し、潜像が正常に形成されなくなる。
【００２１】
しかし、上述したように、収容カセットの記録媒体が無くなり、収容カセットを抜き差し、記録媒体を補給するごとに、定期的に透光板の表面を清掃部材が移動し清掃するので、像担持体への露光不良は発生しない。
【００２２】
請求項２に記載の画像形成装置は、請求項１に記載の構成において、前記収容カセットの抜き差し方向と前記清掃部材の移動方向とを同一方向とし、前記連動機構は、前記収容カセットと前記清掃部とを連結する連結部材であることを特徴としている。
【００２３】
請求項２に記載の画像形成装置は、収容カセットの抜き差し方向と清掃部材の移動方向とを同一方向とし、収容カセットと清掃部とが連結部材で連結されている。
【００２４】
したがって、収容カセットを抜き差しすると、連結部材で連結された清掃部材も透光板の表面を移動し清掃する。よって、収容カセットに記録媒体を補給するごとに、定期的に透光板の表面を清掃するので、像担持体への露光不良は発生しない。
【００２５】
なお、このように、収容カセットと清掃部とを連結部材で連結するだけの簡単で安価な構成で出射口を塞ぐ透光板を清掃できる。
【００２６】
請求項３に記載の画像形成装置は、請求項１に記載の構成において、前記連動機構は、前記出射口の両端側に設けられた回転自在の滑車部と、前記滑車部に巻きかけられ、前記清掃部材が取りつけられた線材と、前記滑車部と同軸的に設けられた歯車と、前記収容カセットに設けられ、前記歯車と噛み合い、前記収容カセットの抜き差し動作を前記滑車部の回転運動に変換するラックと、で構成することを特徴としている。
【００２７】
請求項３に記載の画像形成装置は、出射口の両端側に回転自在の滑車部が設けられている。滑車部には、清掃部材が取りつけられた線材が巻きかけられている。また、滑車部と同軸的に歯車が設けられている。そして、収容カセットには、歯車と噛み合い、収容カセットの抜き差し動作を滑車部の回転運動に変換するラックが設けられている。
【００２８】
したがって、収容カセットを抜き差しするとラックと歯車とを介し滑車が回転する。滑車が回転すると滑車に巻きかけられた線材が移動する。線材が移動すると線材に取り付けられた清掃部材が、滑車間、すなち出射口を塞ぐ透光板を移動し清掃する。
【００２９】
つまり、収容カセットに記録媒体を補給するごとに、定期的に出射口を塞ぐ透光板を清掃するので、像担持体への露光不良は発生しない。
【００３０】
なお、滑車部、線材、歯車、収容カセットに設けられたラックからなる簡単で安価な構成で出射口を塞ぐ透光板を清掃できる。
【発明の効果】
【００３１】
以上説明したように本発明によれば、収容カセットに記録媒体を補給するごとに、定期的に出射口を塞ぐ透光板を清掃するので、像担持体への露光不良は発生しない。
【発明を実施するための最良の形態】
【００３２】
以下、本発明にかかる画像形成装置を適用した一例として、公知の電子写真プロセスを適用したレーザープリンタについて図面を参照して説明する。なお、公知の電子写真プロセスとは、感光体に対する帯電、レーザ等の露光による潜像の形成、トナーによる潜像の現像を経て、感光体上に形成されたトナー像を記録紙などに転写し、そして、トナー像を記録紙に定着することで、記録紙に画像を形成する一連のプロセスを言う。
【００３３】
また、本発明が適用される画像形成装置は、以下で説明するレーザープリンタに限らず、複写機、ファクシミリ、あるいは、複合機等であっても良い。
【００３４】
図１は、本発明にかかる第１の実施形態のレーザープリンタ１１の概略構成を示している。このレーザープリンタ１１は、上述した公知の電子写真プロセスにより、外部装置から入力した画像情報に基づいてトナー像を形成し、この画像を記録紙Ｐに記録するものである。
【００３５】
なお、以下の説明において、本発明の本質とは直接関係しないものについては、詳細な説明を省略する。
【００３６】
まず、レーザープリンタ１１の構成の概要と記録紙Ｐに画像の形成を行うプロセスの概要とを説明する。
【００３７】
図１に示すように、レーザープリンタ１１の内部には、感光体ドラム２０が回転可能に配設されている。感光体ドラム２０は駆動手段（図示省略）により、矢印Ｋ方向に回転する。
【００３８】
感光体ドラム２０の表面は、感光体ドラム２０の右下部分に配設された帯電ローラ２２によって、所望の表面電位に帯電される。帯電後、感光体ドラム２０の下方に配置された光走査装置５０から出射されたレーザービームＬによって露光が行われ、画像情報に応じた潜像が感光体ドラム２０の表面に形成される。現像器２４の現像ローラ２６には、所定の極性に帯電されたトナーが担持されている。感光体ドラム２０の表面に形成された潜像は、現像ローラ２６に現像バイアスをかけることで現像されトナー像となる。そして、感光体ドラム２０上に形成されたトナー像が転写ローラ２８とのニップ部に送られる。
【００３９】
一方、レーザープリンタ１１の下部で光走査装置５０の右横側に、記録紙Ｐが収容された給紙カセット３０が装着されている。つまり、光走査装置５０と給紙カセット３０とは、レーザープリンタ１１の下部に左右に並んで配置されている。また、給紙カセット３０には、記録紙Ｐが最大５００枚収容可能となっている。
【００４０】
給紙カセット３０に収容された記録紙Ｐは、ピックアップローラ３２により送り出され、搬送ローラ３４によって搬送される。そして、レジストローラ３６により所定のタイミングで転写ローラ２８と感光体ドラム２０とのニップ部に送られる。
【００４１】
転写ローラ２８にはトナーと逆極性の電圧が印加され、感光体ドラム２０のトナー像を記録紙Ｐに転写する。トナー像が転写された記録紙Ｐは定着器３８に送られる。定着器３８は熱と圧力とで記録紙Ｐにトナー像を定着する。トナー像が定着した記録紙Ｐは、レーザープリンタ１１の左側上部の排紙トレイ４０に排紙される。
【００４２】
トナー像は転写ローラ２８で記録紙Ｐに全ては転写されずに、一部は感光体ドラム２０上に残留トナーとして残る。この残留トナーは、クリーニング装置４２のクリーニングブレード４４で掻き取られ除去される。
【００４３】
そして、クリーニング装置４２と帯電ローラ２２との間に配設されたイレーサーランプ４６から出射する除電光Ｊで感光体ドラム２０を露光し、感光体ドラム２０の表面電位を均一化する。
【００４４】
さて、レーザープリンタ１１の内部には、飛散したトナーや記録紙Ｐからでる紙紛などが浮遊している。このため、光走査装置５０のレーザービームＬの出射口５１には、光走査装置５０内部への浮遊トナーや紙紛などがの侵入を防止するため、ガラスや透明な樹脂などからなる光透過性の透光板５２が嵌め込まれ、出射口５１が塞がれている。
【００４５】
図２（Ａ）、図４に示すように、透光板５２は、細長い長方形をしており、長手方向は感光体ドラム２０の回転軸方向と同一方向である。
【００４６】
給紙カセット３０は、図１の奥側から手前、及び手前から奥側に向かってスライドし、抜き差し可能となっている。よって、給紙カセット３０に収容されている記録紙Ｐがなくなると、給紙カセット３０を、図１の奥側から手前、すなわち、図３のＹ１方向にスライドしてレーザープリンタ１１外に引き出し、記録紙Ｐを補給した後、給紙カセット３０を図１の手前から奥側に、すなわち図４のＹ２方向にスライドしてレーザープリンタ１１に装着する。
【００４７】
また、給紙カセット３０のスライド方向（抜き差し方向）は、光走査装置５０の出射口５１の透光板５２の長手方向（感光体ドラム２０の回転軸方向）と同一方向である。
【００４８】
図２、図４に示すように、給紙カセット３０の奥側端部には、光走査装置５０方向に延びるアーム６０が設けられている。
【００４９】
アーム６０の先端部の下面６０Ａ（図２（Ｂ）参照）には、フェルト６２が貼り付けられている。このフェルト６２のアーム６０の貼り付け面と反対側面は、光走査装置５０の出射口５１の透光板５２の表面に接触している。また、アーム６０はバネ性を有する材質、例えば、樹脂やバネ性を有する板金等からなっており、フェルト６２は透光板５２の表面を軽く圧接している。
【００５０】
そして、図３、図４に示すように、給紙カセット３０に記録紙Ｐを補給するため、給紙カセット３０を、Ｙ１方向及びＹ２方向にスライドし、抜き差しと、抜き差し動作に連動しフェルト６２が透光板５２の表面を移動して擦る。
【００５１】
なお、上記の実施の形態に限定されるものではない。
【００５２】
例えば、本実施形態では感光体ドラム２０から直接記録紙Ｐにトナー像を転写する方式を取っているが、これに限定されない。例えば、中間転写ベルトなどに一旦トナー像を保持させ、この中間転写ベルトから記録紙Ｐに転写する中間転写方式であっても良い。
【００５３】
また、例えば、本実施形態では感光体ドラム２０と現像器２４とを各一つ備えるモノクロのレーザープリンターであるが、これに限定されない。
【００５４】
例えば、各色（例えば、シアン、マゼンタ、イエロー、ブラックの４色）に対応する複数の現像器を備え、各現像器で順次現像してフルカラー画像を形成するロータリー方式のフルカラーの画像形成装置や、各色毎に感光体と現像機とを備えるタンデム方式のフルカラーの画像形成装置であっても良い。
【００５５】
また、例えば、本実施形態では、図１に示すように、光走査装置５０と給紙カセット３０とがレーザープリンタ１１の下部に左右に並んで配置されていたが、これに限定されない。例えば、光走査装置と給紙カセットとが上下に配置されていても良い。
【００５６】
つぎに、本実施の形態のレーザープリンタ１１の作用を説明する。
【００５７】
前述したように、レーザープリンタ１１の内部には、飛散した浮遊トナー、記録紙Ｐからでる紙紛などが漂っている。浮遊トナーや紙紛などは、出射口５１の透光板５２に徐々に付着していく。（以降、透光板５２に付着した浮遊トナーや紙紛などを総称し、「付着物」と記す）。
【００５８】
透光板５２には、付着物が徐々に付着し汚れてくる。付着物で汚れた部分はレーザービームＬが透過しないので感光体ドラム２０への露光不良が生じ、感光体ドラム２０に正常な潜像を形成できなくなる。よって、透光板５２の付着物を除去し汚れを清掃する必要がある。（図１参照）。
【００５９】
本実施形態のレーザープリンタ１１は、図３、図４に示すように、給紙カセット３０に記録紙Ｐを補給するため、給紙カセット３０を、Ｙ１方向及びＹ２方向にスライドし、抜き差しすると、抜き差し動作に連動しフェルト６２が透光板５２の表面を移動して擦る。つまり、給紙カセット３０に記録紙Ｐを補給するたびに、フェルト６２が透光板５２の汚れを清掃する。よって、透光板５２の汚れによる露光不良が防止される。
【００６０】
なお、フェルト６２が透光板５２の表面を移動すると、フェルト６２がレーザービームＬの露光経路を遮る。しかし、給紙カセット３０に記録紙Ｐを補給する際に画像形成を行うことはない。よって、透光板５２の清掃動作による露光不良は生じない。
【００６１】
このように、オペレータが手動で透光板５２の汚れを拭き取ったり、あるいは、特別な機構、例えば、モータ等で清掃部材を移動し清掃する機構と清掃動作による露光不良を生じないようなタイミングで清掃する制御機構とからなる清掃機構などの複雑な高価な機構を設ける必要がなく、簡単で安価な構成で、定期的に透光板５２の付着物を除去し汚れを清掃できる。
【００６２】
なお、清掃間隔が長いと透光板５２が汚れてしまう。特に、図１に示すように、透光板５２が感光体ドラム２０の下方に配置される構成の場合は、透光板５２に付着物が降り積もるため、更に短期間で汚れてしまう。
【００６３】
例えば、特開平０８−２６２９４７に記載の方法では、清掃は開閉カバーの開閉動作時、すなわちプロセスカートリッジの交換時に行われる。このため、清掃間隔は、プロセスカートリッジの交換間隔となる。プロセスカートリッジの交換間隔は、カートリッジに収容されているトナー量や印字内容などによるが、通常は数千枚以上である。また、印字率が低い、すなわちトナー消費量が少ない画像の出力が多い場合は、プロセスカートリッジの交換間隔が更に長くなる。
【００６４】
つまり、清掃間隔も数千枚印字以上毎、あるいは更に長間隔毎に行われるので、その間に透光板５２が汚れてしまい、露光不良を生じることがある。更に、透光板が透明な樹脂からなる場合、透光板にトナーが長期間付着したままになると、トナーが融着し清掃しても汚れが落ちにくくなる。
【００６５】
これに対し、本実施形態では、清掃間隔は記録紙Ｐの補給毎、すなわち、必ず５００枚毎に透光板５２の清掃が行われるので、清掃間隔があき過ぎ、透光板５２が汚れ、露光不良を生じることはない。また、透光板５２が透明な樹脂からなる場合であっても、透光板５２にトナーが融着し、汚れが落ちにくくなることもない。
【００６６】
このように、給紙カセットに収容可能な記録紙Ｐの枚数は画像形成装置毎に異なるが、通常は数１００枚程度であり、プロセスカートリッジの交換間隔より短い間隔（１０分の１程度）である。また、印字内容等によらず、必ず一定枚数（本実施形態では５００枚）を印字する毎に記録紙Ｐが補給されるので、必ず一定枚数ごとに透光板５２が清掃される。
【００６７】
つぎに、本発明に係る画像形成装置の第２の実施形態を説明する。なお、第１実施形態で説明した部材には同一の符号を付し、重複する説明は省略する。
【００６８】
図５に示すように、第２の実施形態のレーザープリンタ１２は、レーザープリンタ１２の下部に給紙カセット１３０が装着され、その上方に光走査装置１５０が配設されている。
【００６９】
第１の実施形態のレーザープリンタ１１では、給紙カセット３０は、図１の奥側から手前（及び手前から奥）に向かってスライド（抜き差し）可能となっていたが、図５に示すように、第２の実施形態のレーザープリンタ１２の給紙カセット１３０は、図５の左右方向（Ｘ１方向及びＸ２方向）にスライド（抜き差し）可能となっている。
【００７０】
なお、この給紙カセット１３０のスライド（抜き差し）方向は、光走査装置１５０の出射口１５１の透光板１５２の長手方向（感光体ドラム２０の回転軸方向）と直交する方向となる。
【００７１】
図６、図９に示すように、光走査装置１５０の出射口１５１の両端側には、回転軸１１０、１１２が回転自在に立てられている。回転軸１１０、１１２の上部には、滑車１２０、１２２が取り付けられている。
【００７２】
そして、この滑車１２０、１２２には、ゴム材からなる輪状のベルト１２４が巻きかけられている。なお、滑車１２０、１２２間より、ベルト１２４の輪の方が若干小さいので、ベルト１２４はテンションがかかって滑車１２０、１２２に巻きかかっている。よって、滑車１２０、１２２が回転すると、ベルト１２４も回転する。
【００７３】
図６（Ａ）、図９に示すように、滑車１２０、１２２間に平行してベルト１２４が２本、張られた構成となる。その一方は、光走査装置１５０の出射口１５１の透光板１５２上にかかっている。しかし、図５に示すように、感光体ドラム２０へ出射するレーザービームＬの露光経路にはかかっていないので、感光体ドラム２０への露光を妨げない。
【００７４】
また、図６、図９に示すように、光走査装置１５０の出射口１５１の透光板１５２の表面にフェルト１６２が配置されている。フェルト１６２の上面には、抑え部１６４が貼り付けられ、抑え部１６４の上部には突起部１６４Ａが形成されている。
【００７５】
前述した、光走査装置１５０の出射口１５１の透光板１５２上にかかっている一方のベルト１２４は、この突起部１６４Ａに通されている。なお、突起部１６４Ａと一方のベルト１２４とは固定されている。
【００７６】
よって、図７（ａ）、（ｂ）に示すように、滑車１２０、１２２が回転し、ベルト１２４が回転すると、フェルト１６２は透光板１５２の表面を長手方向に移動する。
【００７７】
図６（Ｄ）に示すように、滑車１２０、１２２の位置は、突起部１６４Ａにベルト１２４が通されている位置より僅かに下に位置している。このため、フェルト１６２が透光板１５２の表面を軽く圧接し、フェルト１６２が透光板１５２の表面を接触しながら移動する。
【００７８】
なお、図６（Ｄ）では、判りやすくするため、滑車１２０、１２２の位置と突起部１６４Ａにベルト１２４が通されている位置との差を模式的に極端に大きく描いている。また、実際の位置の差は僅かなので、滑車１２０、１２２からベルト１２４が外れることはない。
【００７９】
図６、図９に示すように、一方の回転軸１１２の下部にはギア１３２が取り付けられている。また、給紙カセット１３０の一方の側面には、このギア１３２と噛み合うラック１３４が形成されている。
【００８０】
よって、図７、図８、図９に示すように、給紙カセット１３０をスライドし、抜き差しすると、ラック１３４、ギア１３２、及び回転軸１１２を介して滑車１２０、１２２が回転する。滑車１２０、１２２が回転すると、前述したように、ベルト１２４が回転し、フェルト１６２が透光板１５２を長手方向に移動する。
【００８１】
すなわち、給紙カセット１３０に記録紙Ｐを補給するため、給紙カセット１３０をスライドし、抜き差しすると、抜き差し動作に連動しフェルト１６２が透光板１５２の表面を移動して擦る。
【００８２】
なお、給紙カセット１３０の抜き差し動作によるフェルト１６２の移動距離は、透光板１５２の長手方向の幅と一致するように、給紙カセット１３０に設けれらたラック１３４の歯数とギア１３２の歯数とが設定されている。
【００８３】
つぎに、本実施の形態のレーザープリンタ１２の作用を説明する。
【００８４】
本実施の形態のレーザープリンタ１２も第１の実施形態のレーザープリンタ１１と同様に、図８、図９に示すように、給紙カセット１３０に記録紙Ｐを補給するごとに、フェルト１６２が透光板１５２の表面を移動して擦り汚れを清掃する。
【００８５】
なお、本実施形態では、図５、図７に示すように、給紙カセット１３０のスライド（抜き差し）方向は、フェルト１６２の移動方向（光走査装置１５０の出射口１５１の透光板１５２の長手方向）と直交していたが、これに限定されない。給紙カセット１３０のスライド（抜き差し）方向は、フェルト１６２の移動方向に対して任意の方向が可能である。
【００８６】
例えば、図１０に示すように、給紙カセット３３０のスライド（抜き差し）方向とフェルト３６２の移動方向とが平行であっても良い。あるいは、図１１に示すように、ラック４３４を給紙カセット４３０の下面に設ける構成とし、給紙カセット４３０のスライド（抜き差し）方向は水平方向でフェルト４６２の移動方向が垂直としても良い。
【００８７】
なお、本発明は、上記の実施の形態に限定されるものではない。
【００８８】
例えば、上記実施の形態では、給紙カセット３０、１３０（収容カセット）の抜き差し動作に連動してフェルト６２、１６２（清掃部材）を移動させる連動機構は、アーム６０や、回転軸１１０、１１２、滑車１２０、１２２、ベルト１２４、ギア１３２、ラック１３４からなる機構であったが、これに限定されない。収容カセットの抜き差し動作に連動して清掃部材を移動させる機構であれば、その他の機構であっても良い。
【００８９】
また、上記実施の形態では、露光手段は、レーザービームＬを出射する光走査装置５０、１５２であったが、これに限定されない。例えば、ＬＥＤなどのその他の発光素子を用いた露光手段や、蛍光灯などの発光素子と液晶シャッターなどを組み合わせた露光手段等、画像情報に応じて像担持体に潜像を形成可能な露光手段であれば良い。
【図面の簡単な説明】
【００９０】
【図１】本発明の第１の実施形態に係る画像形成装置の内部を模式的に示した図である。
【図２】本発明の第１の実施形態に係る画像形成装置の要部を、（Ａ）は上面から見た図であり、（Ｂ）は側面から見た図である。
【図３】本発明の第１の実施形態に係る画像形成装置において、給紙カセットを引き出す際の抜き差し動作に連動し、フェルトが光走査装置の出射口の透光板を移動し清掃する様子を説明する斜視図である。
【図４】本発明の第１の実施形態に係る画像形成装置において、給紙カセットを装着する際の抜き差し動作に連動し、フェルトが光走査装置の出射口の透光板を移動し清掃する様子を説明する斜視図である。
【図５】本発明の第２の実施形態に係る画像形成装置の内部を模式的に示した図である。
【図６】本発明の第２の実施形態に係る画像形成装置の要部を、（Ａ）は上面から見た図であり、（Ｂ）は側面から見た図であり、（Ｃ）は正面から見た図であり、（Ｄ）は、滑車の位置と突起部にベルトが通されている位置との関係を模式的に極端に描いた図であある。
【図７】本発明の第２の実施形態に係る画像形成装置において、（ａ）は給紙カセットを装着する際の抜き差し動作に連動し、フェルトが光走査装置の出射口の透光板を移動し清掃する様子を、（ｂ）は給紙カセットを引き出す際の抜き差し動作に連動し、フェルトが光走査装置の出射口の透光板を移動し清掃する様子を、それぞれ説明する説明図である。
【図８】本発明の第２の実施形態に係る画像形成装置において、給紙カセットを引き出す際の抜き差し動作に連動し、フェルトが光走査装置の出射口の透光板を移動し清掃する様子を説明する斜視図である。
【図９】本発明の第２の実施形態に係る画像形成装置において、給紙カセットを装着する際の抜き差し動作に連動し、フェルトが光走査装置の出射口の透光板を移動し清掃する様子を説明する斜視図である。
【図１０】本発明のその他の実施形態に係る画像形成装置において、給紙カセットを装着する際の抜き差し方向とフェルトとの移動方向とが平行となっている図である。
【図１１】本発明のその他の実施形態に係る画像形成装置において、給紙カセットを装着する際の抜き差し方向が水平で、フェルトの移動方向が垂直方向となっている図である。
【符号の説明】
【００９１】
１１    レーザープリンター（画像形成装置）
１２    レーザープリンター（画像形成装置）
２０    感光体ドラム（像担持体）
３０    給紙カセット（収容カセット）
５０    光走査装置（露光手段）
５１    出射口
５２    透光板
６２    フェルト（清掃部材）
６０    アーム（連結部材）
１２０    滑車（滑車部）
１２２    滑車（滑車部）
１２４    ベルト（線材）
１３０    給紙カセット（収容カセット）
１３２    ギア（歯車）
１３４    ラック
１５０    光走査装置（露光手段）
１５１    出射口
１５２    透光板
１６２    フェルト（清掃部材）
Ｐ    記録紙（記録媒体）
【図１】
2005265965.tif 000003
【図２】
2005265965.tif 000004
【図３】
2005265965.tif 000005
【図４】
2005265965.tif 000006
【図５】
2005265965.tif 000007
【図６】
2005265965.tif 000008
【図７】
2005265965.tif 000009
【図８】
2005265965.tif 000010
【図９】
2005265965.tif 000011
【図１０】
2005265965.tif 000012
【図１１】
2005265965.tif 000013